(57)【特許請求の範囲】
【請求項１】
絶縁ハウジングに取り付けられた一対のコンタクト同士が接触した状態から、相手コネクタの押圧力が付与されることで、前記一対のコンタクトのうちの一方のコンタクトが他方のコンタクトから離間する方向に移動するものであって、
前記一方のコンタクトが、前記絶縁ハウジングに係止された固定基部と、印刷配線基板に半田接合される基板接続部と、片持ち状に延出する弾性ビーム状部材と、を有するスイッチ付同軸コネクタにおいて、
前記一方のコンタクトの固定基部が、当該一方のコンタクトの延在方向において一端部分に配置されているとともに、
前記固定基部から、前記弾性ビーム状部材及び前記基板接続部が一体的に延出する構成になされたものであって、
前記弾性ビーム状部材と前記基板接続部とが、前記弾性ビーム状部材の延出方向と直交する幅方向において並列するように配置され、かつ
前記弾性ビーム状部材及び前記基板接続部は、前記固定基部との連結部分に、当該弾性ビーム状部材及び前記基板接続部の延出方向を反転させるように折り曲げられた反転折返し部を有していることを特徴とするスイッチ付同軸コネクタ。
【請求項２】
前記弾性ビーム状部材は、前記基板接続部に対して前記幅方向の両側から延出する分岐基部と、それらの分岐基部が一体的に合流して延出するメインビーム部と、を有していることを特徴とする請求項１記載のスイッチ付同軸コネクタ。
【請求項３】
前記固定基部は、前記弾性ビーム状部材の分岐基部に対して前記幅方向の両側外方部分に、前記絶縁ハウジングに圧入固定される固定延設片を有していることを特徴とする請求項２記載のスイッチ付同軸コネクタ。
【請求項４】
前記反転折返し部は、前記固定基部から下方又は上方に向かって折り曲げられていることを特徴とする請求項１記載のスイッチ付同軸コネクタ。
【発明の詳細な説明】
【技術分野】
【０００１】
本発明は、相手コネクタが嵌合されることによって離間状態になされる一対のコンタクトを備えたスイッチ付同軸コネクタに関する。
【背景技術】
【０００２】
一般に、携帯電話などのような電子機器又は電気機器においてスイッチ付同軸コネクタが用いられている。このスイッチ付同軸コネクタは、例えば、機器内に設けられた高周波回路等を有する各種電子回路の状態や性能を検査するための小型回路検査スイッチなどとして用いられるものであるが、例えば、下記の特許文献１等に開示された回路検査スイッチは、機器本体の電子回路を分断するように回路基板上に実装されたスイッチ付同軸コネクタからなるものであって、当該スイッチ付同軸コネクタに設けられた相手挿入穴を通して、相手コネクタとして検査用プラグコネクタのプローブ（検査針）が、上方側から内部に挿入される構成になされている。
【０００３】
このようなスイッチ付同軸コネクタにおいては、絶縁ハウジングの外方側に、グランド接続用の導電性シェルが取り付けられており、その導電性シェルから一体的に突出する複数の基板接続部が、図示を省略した配線基板上の導電路に半田接合されることにより実装される構成になされている。このときの前記絶縁ハウジングの内部には、信号伝送用の可動コンタクトと固定コンタクトとからなるコンタクト対が取り付けられていて、それら一対の可動コンタクト及び固定コンタクトが、機器本体に設けられた電子回路の一方側及び他方側にそれぞれ接続されている。
【０００４】
そして、そのようなスイッチ付同軸コネクタに対して、上方側から挿入された検査用プラグコネクタのプローブ（検査針）の先端部分が、略水平面内で揺動する前記可動コンタクトの自由端部分に上方側から圧接し、それによって可動コンタクトが下方側に揺動して固定コンタクトから離間され、本来の電子回路が分断される。また、プローブの下端部分が可動コンタクト１に接触することによって、機器本体の他の電子回路にプローブが導通状態となり、当該プローブを通して、電子回路からの電気信号が外部に取り出されることにより、例えば適宜の検査が実行されるようになっている。
【０００５】
しかしながら、従来のスイッチ付同軸コネクタにおいては、最近の電子機器の小型化・薄型化に伴って可動コンタクトの長さが縮小される傾向がある。そのため、検査用プラグコネクタのプローブ（検査針）が挿入された際に、可動コンタクトに塑性（永久）変形を生じるおそれがあり、特に繰り返し挿入された場合には電気的な接続性に問題を生じる場合がある。このような塑性変形を防止するため、従来から、コンタクトのスパンを長くして弾性を高める手段も考えられているが、単にコンタクトを長くする構造では、コネクタ全体の大型化を招来してしまい、近年の小型化や低背化の要請に反することとなる。また、特許文献１においては、コンタクトの弾性変形時に生じる応力を分散させ、或いは低減させるための切欠き部や穴部を設けることが行われているが、コンタクトの構成が複雑化して全体が大型化する傾向があるとともに、生産性の低下を招来するおそれがある。
【先行技術文献】
【特許文献】
【０００６】
【特許文献１】特開２００３−１２３９１５号公報
【発明の概要】
【発明が解決しようとする課題】
【０００７】
そこで本発明は、簡易な構成で、大型化を回避しつつコンタクトの塑性変形を良好に防止することができるようにしたスイッチ付同軸コネクタを提供することを目的とする。
【課題を解決するための手段】
【０００８】
上記目的を達成するため本発明では、絶縁ハウジングに取り付けられた一対のコンタクト同士が接触した状態から、相手コネクタの押圧力が付与されることで、前記一対のコンタクトのうちの一方のコンタクトが他方のコンタクトから離間する方向に移動するものであって、前記一方のコンタクトが、前記絶縁ハウジングに係止された固定基部と、印刷配線基板に半田接合される基板接続部と、片持ち状に延出する弾性ビーム状部材と、を有するスイッチ付同軸コネクタにおいて、前記一方のコンタクトの固定基部が、当該一方のコンタクトの延在方向において一端部分に配置されているとともに、前記固定基部から、前記弾性ビーム状部材及び前記基板接続部が一体的に延出する構成になされたものであって、前記弾性ビーム状部材と前記基板接続部とが、前記弾性ビーム状部材の延出方向と直交する幅方向において並列するように配置され、かつ前記弾性ビーム状部材及び前記基板接続部は、前記固定基部との連結部分に、当該弾性ビーム状部材及び前記基板接続部の延出方向を反転させるように折り曲げられた反転折返し部を有する構成が採用されている。
【０００９】
このような構成を有するスイッチ付同軸コネクタによれば、絶縁ハウジング及び印刷配線基板に固定される固定基部及び基板接続部が、従来のように弾性ビーム状部材の延出方向の途中位置に設けられていないことから、一方のコンタクトの弾性ビーム状部材が長手方向の略全長にわたって弾性的な可撓性を有することとなり、当該弾性ビーム状部材の可撓性を有する領域が、従来よりも拡大されて弾性的な可撓性が長期にわたって良好に維持されるようになっている。
【００１０】
このとき、本発明における前記弾性ビーム状部材は、前記基板接続部に対して前記幅方向の両側から延出する分岐基部と、それらの分岐基部が一体的に合流して延出するメインビーム部とを有する構成とすることが望ましい。
【００１１】
このような構成を有するスイッチ付同軸コネクタによれば、弾性ビーム状部材が、固定基板の板幅方向において対称的な支持構造になされるため、当該弾性ビーム状部材の弾性変位が安定的に行われる。
【００１２】
さらに、本発明における前記固定基部は、前記弾性ビーム状部材の分岐基部に対して前記幅方向の両側外方部分に、前記絶縁ハウジングに圧入固定される固定延設片を有していることが望ましい。
【００１３】
このような構成からなるスイッチ付同軸コネクタによれば、固定延設片による固定力が、固定基部及び弾性ビーム状部材に付加されることとなり、それによって弾性ビーム状部材の全体が、より安定的に保持される。
【００１４】
さらにまた、本発明における前記反転折返し部は、前記固定基部から下方又は上方に向かって折り曲げられている構成とすることが可能である。
【発明の効果】
【００１５】
以上述べたように本発明にかかるスイッチ付同軸コネクタは、絶縁ハウジングに取り付けられた一方のコンタクトにおいて、絶縁ハウジングに固定される固定基部をコンタクトの一端部分に配置するとともに、その固定基部から基板接続部及び反転折返し部を介して弾性ビーム状部材を延出させるとともに、弾性ビーム状部材と基板接続部とを並列させた構成によって、従来のように弾性ビーム状部材の延出方向の途中位置に固定基部及び基板接続部を設けないこととし、当該弾性ビーム状部材に長手方向の略全長にわたって弾性的な可撓性を備えさせて弾性可撓性を有する領域を従来よりも拡大させ、弾性ビーム状部材の弾性的な可撓性を長期にわたって良好に維持する構成としたものであるから、簡易な構成で、大型化を回避しつつコンタクトの塑性変形を良好に防止することができ、スイッチ付同軸コネクタの信頼性を安価かつ大幅に高めることができる。
【図面の簡単な説明】
【００１６】
【図１】本発明の第１の実施形態にかかる回路検査スイッチを構成しているスイッチ付同軸コネクタの全体構造を正面上方側から見たときの外観斜視説明図である。
【図２】図１に示された本発明の第１の実施形態にかかるスイッチ付同軸コネクタの全体構造を正面下方側から見たときの外観斜視説明図である。
【図３】図１及び図２に示された本発明の第１の実施形態にかかるスイッチ付同軸コネクタの正面説明図である。
【図４】図１〜図３に示された本発明の第１の実施形態にかかるスイッチ付同軸コネクタに用いられている一方の第１コンタクトを後方側上方から見たときの外観斜視説明図である。
【図５】図４に示された一方のコンタクトを後方側下方から見たときの外観斜視説明図である。
【図６】図４及び図５に示された一方のコンタクトの平面説明図である。
【図７】図４及び図５に示された一方のコンタクトの側面説明図である。
【図８】図４及び図５に示された一方のコンタクトの底面説明図である。
【図９】図４及び図５に示された一方のコンタクトの背面説明図である。
【図１０】図１〜図３に示された本発明の第１の実施形態にかかるスイッチ付同軸コネクタに用いられている他方の第２コンタクトを前方側上方から見たときの外観斜視説明図である。
【図１１】図１０に示された他方の第２コンタクトを前方側下方から見たときの外観斜視説明図である。
【図１２】図１〜図３に示された本発明の第１の実施形態にかかるスイッチ付同軸コネクタの中心部分を通る縦断面説明図である。
【図１３】相手コネクタ（検査用プラグコネクタ）の挿入が完了して第１のコンタクトを押し下げた状態を表した縦断面説明図である。
【図１４】本発明の第２の実施形態にかかるスイッチ付同軸コネクタに用いられている一方のコンタクトを後方側上方から見たときの外観斜視説明図である。
【図１５】図１４に示された一方のコンタクトを後方側下方から見たときの外観斜視説明図である。
【図１６】図１４及び図１５に示された一方のコンタクトの側面説明図である。
【発明を実施するための形態】
【００１７】
以下、本発明にかかるスイッチ付同軸コネクタを回路検査スイッチとして採用した実施形態を図面に基づいて詳細に説明する。
【００１８】
［回路検査スイッチの全体構造について］
まず、図１〜図１１に示された本発明の第１の実施形態にかかるスイッチ付同軸コネクタ１０は、図示を省略した配線基板上に実装されるものであって、当該スイッチ付同軸コネクタ１０に対して、相手コネクタとしての検査用プラグコネクタ２０が上方側から嵌合され、又は上方側に向かって抜出される構成になされている。すなわち、そのスイッチ付同軸コネクタ１０の上方側に配置された検査用プラグコネクタ２０が、作業者の手で把持されながら下方側のスイッチ付同軸コネクタ１０に向かって適宜の力で押し込まれ、それによって両コネクタ１０，２０同士が嵌合された装着状態になされる。また、その両コネクタ１０，２０同士の装着状態から検査用プラグコネクタ２０を把持して上方側に適宜の力で引き上げれば、当該検査用プラグコネクタ２０がスイッチ付同軸コネクタ１０から上方に離脱して抜出が行われる。
【００１９】
なお、検査用プラグコネクタ２０は、作業者の手で挿抜されることに限らず、機械によって自動的に挿抜されてもよい。以下、この検査用プラグコネクタの挿入方向及び抜出方向を、それぞれ「下方向」及び「上方向」とする。
【００２０】
このような回路検査スイッチ組立体を構成しているスイッチ付同軸コネクタ１０は、例えば携帯電話等の電子機器に設けられた電子回路基板（図示省略）上に半田付けにより実装されて使用され、その電子機器に設けられた電子回路を、機器本体側とアンテナ側とを分断又は接続するように配置される。
【００２１】
［絶縁ハウジングについて］
上述したスイッチ付同軸コネクタ１０の本体部を構成している絶縁ハウジング１１は、プラスチック等の樹脂材を用いて例えばモールド成形されたものであって、平面略矩形状の板状部材からなるベース枠体部１１ａと、そのベース枠体部１１ａの上面中央部分に配置された挿入ガイド部１１ｂとを一体的に有している。
【００２２】
挿入ガイド部１１ｂは、上述したベース枠体部１１ａの上側表面から略円筒状をなして上方に立ち上がるように形成されている。この挿入ガイド部１１ｂの内周側表面は、略すり鉢形状をなすように形成されており、当該挿入ガイド部１１ｂの上端縁部分に形成された円環状外縁部から、中心部分に相手挿入穴として設けられたプローブ挿入穴１１ｃの上面側開口部に向かって斜め下方に延在する傾斜ガイド面１１ｄが形成されている。この傾斜ガイド面１１ｄは、前述した検査用プラグコネクタ２０に設けられたプローブ２０ａをプローブ挿入穴１１ｃに向かって案内する機能を有するものであって、検査用プラグコネクタ２０のプローブ２０ａがプローブ挿入穴１１ｃの真上に配置されていない場合であっても、傾斜ガイド面１１ｄの傾斜面上にプローブの先端部が当接されれば、プローブ２０ａの先端部が傾斜ガイド面１１ｄに沿って下方に滑り落ちるように移動され、プローブ挿入穴１１ｃまで円滑に案内されるようになっている。
【００２３】
相手挿入穴として設けられたプローブ挿入穴１１ｃは、検査用プラグコネクタ２０のプローブ２０ａを挿入可能とする内径を有する大きさの平面略円形状をなすように形成されており、当該プローブ挿入穴１１ｃの上面側開口部の周囲に、上述した挿入ガイド部１１ｂが略同心状をなすように配置されたものであって、上述したように挿入ガイド部１１ｂの上端開口部からベース枠体部１１ａの中心軸に沿って下方に延出し、絶縁ハウジング１１の正面と背面との間を貫通するように設けられたコンタクト挿入通路１１ｅに対して上方側から開口するように設けられている。このプローブ挿入穴１１ｃは、後述する一方のコンタクト１２の上方位置に配置されている。
【００２４】
［コンタクトについて］
一方、絶縁ハウジング１１のベース枠体部１１ａに設けられたコンタクト挿入通路１１ｅの内部には、信号伝送用の第１コンタクト（一方のコンタクト）１２、及び第２コンタクト（他方のコンタクト）１３が、上述した検査用プラグコネクタ（相手コネクタ）２０の挿入・抜去の方向（上下方向）に対して略直交する水平方向に、互いに対向するように挿入されて取り付けられている。これらの第１コンタクト１２及び第２コンタクト１３同士が対向する方向を、以下においては単に「コンタクト対向方向」と呼び、また、各コンタクト１２，１３の個々において、相手側に向かっている方向を「前方」、その反対方向を「後方」とする。
【００２５】
第１コンタクト１２及び第２コンタクト１３は、いわゆるコンタクト対を構成するものであって、絶縁ハウジング１１の正面・背面の両端面からコンタクト挿入通路１１ｅの内部に対面するようにして挿入され、それら両コンタクト１２，１３同士が互いに弾性的に接触した状態となるように絶縁ハウジング１１に取り付けられている。このときの両コンタクト１２，１３同士の接触状態は、後述するように検査用プラグコネクタ２０の嵌合によって解除されて離間状態になされる。
【００２６】
そのうち第１コンタクト（一方のコンタクト）１２は、コンタクト挿入通路１１ｅに沿って延在する細長の帯板状部材から形成されており、その細長の帯板状部材からなる第１コンタクト１２の一端部分に、絶縁ハウジング１１に係止される固定基部１２ａが設けられている。その固定基部１２ａの後端縁部には、印刷配線基板に接続される基板接続部１２ｂが、反転折返し部１２ｂ１を介して一体的に連設されているとともに、弾性的な可撓性を有する弾性ビーム状部材１２ｃが、反転折返し部１２ｃ１を介して一体的に連設されている。反転折返し部１２ｂ１及び１２ｃ１は、基板接続部１２ｂ及び弾性ビーム状部材１２ｃの延出方向を反転させるように折り曲げられた形状になされており、上述した固定基部１２ａの後端縁部から後方側に向かって延出した基板接続部１２ｂ及び弾性ビーム状部材１２ｃが、反転折返し部１２ｂ１及び１２ｃ１により前方側に延出方向を反転させられた状態で片持ち状をなすようにして延出する構成になされている。
【００２７】
このように第１コンタクト１２においては、当該第１コンタクト１２の延在方向における一端部分に配置された固定基部１２ａの後端縁部に、基板接続部１２ｂの連結部分を構成している反転折返し部１２ｂ１、及び弾性ビーム状部材１２ｃの連結部分を構成している反転折返し部１２ｃ１が一体的に連結されているが、それらの反転折返し部１２ｂ１及び１２ｃ１は、固定基部１２ａの板幅方向、すなわち弾性ビーム状部材１２ｃの延出方向（コネクタ対向方向）と直交する方向に並列する配置関係になされている。そして、基板接続部１２ｂの板幅方向において略中央に位置する部位に、基板接続部１２ｂの反転折返し部１２ｂ１が配置されているとともに、その基板接続部１２ｂの反転折返し部１２ｂ１に対して、前記板幅方向における両側外方の二箇所に、弾性ビーム状部材１２ｃの反転折返し部１２ｃ１，１２ｃ１が配置されている。
【００２８】
ここで、固定基部１２ａは、略水平に延在する板状部材から形成されており、当該固定基部１２ａの両側縁部、すなわちコンタクト対向方向と直交する板幅方向の両端部には、絶縁ハウジング１１に対して圧入固定される固定延設片１２ａ１，１２ａ１が、両側外方に向かって略水平に延出するように設けられている。それらの各固定延設片１２ａ１は、固定基部１２ｂの両側外方部分であって且つ後述する弾性ビーム状部材１２ｃの外方側部分において、前後方向に略水平に突出するように形成されており、絶縁ハウジング１１の壁面に溝状をなすように凹設された固定溝部に圧入されることで固定状態になされている。そして、これらの各固定延設片１２ａ１による絶縁ハウジング１１に対する係合力によって、第１コンタクト１２全体の保持が行われている。
【００２９】
この固定基部１２ａの両側部分に設けられた固定延設片１２ａ１，１２ａ１は、上述したように弾性ビーム状部材１２ｃの長手方向である前後方向に延出するように形成されていることから、後述する弾性ビーム状部材１２ｃの上下方向の弾性変位に対する当該固定延設片１２ａ１，１２ａ１の固定力が増大される構造となっており、固定基部１２ａが強固に支持されることで、弾性ビーム状部材１２ｃの支持力が高められて安定的な保持性が得られ、後述する弾性ビーム状部材１２ｃの先端縁部分に設けられた接点部の機能が良好に維持される。
【００３０】
また、各固定延設片１２ａ１が固定基部１２ａと連結されている両部材同士の連結境界領域には、当該連結境界領域の後端縁部から前方側に向かって延出する外方側切欠き部１２ａ２，１２ａ２がそれぞれ形成されている。さらに、弾性ビーム状部材１２ｃの反転折返し部１２ｃ１，１２ｃ１と、基板接続部１２ｂの反転折返し部１２ｂ１との境界領域には、当該境界領域の後端縁部から前方側に向かって延出する内方側切欠き部１２ａ３，１２ａ３がそれぞれ形成されている。それらの外方側切欠き部１２ａ２及び内方側切欠き部１２ａ３は、両者ともに平面略Ｕ字形状をなす細幅の溝形状をなすように形成されている。そして、それらの外方切欠き部１２ａ２及び内方側切欠き部１２ａ３の奥側溝端から弾性ビーム状部材１２ｃの反転折返し部１２ｃ１，１２ｃ１、及び基板接続部１２ｂの反転折返し部１２ｂ１が、後方側に向かって延出している。
【００３１】
このうちの反転折返し部１２ｂ１は、基板接続部１２ｂの根本部分を構成するものであるが、上述した固定基部１２ａの後端縁部から下方側に立ち下がるように湾曲して延びる帯板状部材から形成されており、基板接続部１２ｂの延出方向を反転させるように前方側に向かって折り返されている。すなわち、この反転折り返し部１２ｂ１の下端側部分は、前方側に向かって略水平に延出しており、当該反転折り返し部１２ｂ１の下方側部分の前端縁から、基板接続部１２ｂが前方側に向かって片持ち状をなして一体的に延出している。その基板接続部１２ｂは、電気コネクタ１０の実装時に、印刷配線基板上に形成された導電路に対して半田部材により接合される。
【００３２】
また、弾性ビーム状部材１２ｃの反転折り返し部１２ｃ１は、当該弾性ビーム状部材１２ｃの根本部分を構成しているが、上述した固定基部１２ａの後端縁部から下方側に立ち下がるように湾曲して延びる帯板状部材から形成されており、弾性ビーム状部材１２ｃの延出方向を反転させるように前方側に向かって折り返されている。すなわち、この反転折り返し部１２ｃ１の下方側部分は、前方側に向かって略水平に延出しており、当該反転折り返し部１２ｃ１の下方側部分の前端縁から、弾性ビーム状部材１２ｃが前方側に向かって片持ち状をなして一体的に延出している。弾性ビーム状部材１２ｃの詳細な構成については後述する。
【００３３】
一方、第２コンタクト（他のコンタクト）１３は、特に図１０及び図１１に示されているように、上述した第１コンタクト１２の反対側からコンタクト挿入通路１１ｅ内に挿入されており、当該第２コンタクト１３の全体が不動状態に固定される構成になされている。より具体的には、絶縁ハウジング１１に係止されている固定基部１３ａの後端縁部から、印刷配線基板に接続される基板接続部１３ｂが、反転折返し部１３ｃを介して前方側に向かって一体的に延出しているとともに、固定基部１３ａの前端縁部からは、固定ビーム状部材１３ｄが前方側に向かって一体的に延出している。これらの基板接続部１３ｂ及び固定ビーム状部材１３ｄは、片持ち状をなすようにして延出する構成になされている。
【００３４】
そのうちの固定基部１３ａは、略水平に延在する板状部材から形成されており、当該固定基部１３ａの両側縁部、すなわちコンタクト対向方向と直交する板幅方向の両端部に、絶縁ハウジング１１に対して圧入固定される固定延設片１３ａ１，１３ａ１が、両側外方に向かって略水平に延出するように設けられている。それらの各固定延設片１３ａ１は、固定基部１３ａの両側外方において、前後方向に略水平に突出するように形成されており、絶縁ハウジング１１の壁面に溝状をなすように凹設された固定溝部に圧入されることで固定状態になされている。そして、これらの各固定延設片１３ａ１による絶縁ハウジング１１に対する係合力によって、第２コンタクト１３全体の保持が行われている。
【００３５】
この固定基部１３ａに設けられた固定延設片１３ａ１，１３ａ１は、上述したように固定基部１３ａの両側において固定ビーム状部材１３ｄ長手方向である前後方向に延出するように形成されていることから、固定ビーム状部材１３ｄに対する上下方向の付加力に対する当該固定延設片１３ａ１，１３ａ１の固定力が増大される構造になされており、固定基部１３ａが強固に支持されることで、固定ビーム状部材１３ｄの支持力が高められて安定的な保持性が得られ、固定ビーム状部材１３ｄの先端縁部分に設けられた接点部の機能が良好に維持される。
【００３６】
一方、基板接続部１３ｂの反転折返し部１３ｃは、当該基板接続部１３ｂの根本部分を構成するものであるが、上述した固定基部１３ａの後端縁部から下方側に立ち下がるように湾曲して延びる帯板状部材から形成されており、基板接続部１３ｂの延出方向を反転させるように前方側に向かって折り返されている。すなわち、その反転折り返し部１３ｃの下端側部分は、前方側に向かって略水平に延出しており、当該反転折り返し部１３ｃの下方側部分の前端縁から、基板接続部１３ｂが前方側に向かって片持ち状をなして一体的に延出している。その基板接続部１３ｂは、電気コネクタ１０の実装時に、印刷配線基板上に形成された導電路に対して半田部材により接合される。
【００３７】
［弾性ビーム状部材及び固定ビーム状部材について］
一方、前述した第１コンタクト１２の弾性ビーム状部材１２ｃ、及び第２コンタクト１３の固定ビーム状部材１３ｄは、互いに近接するように突出する片持ち状の帯板状部材から形成されている。そのうちの第２コンタクト１３の固定ビーム状部材１３ｄは、上述した固定基部１３ａの前端縁部から、相手側の第１コンタクト１２に向かって直接的に延出する構成になされており、当該固定ビーム状部材１３ｄの全体が、所定の剛性を有する固定部材になされている。
【００３８】
これに対して、第１コンタクト１２の弾性ビーム状部材１２ｃは、前述したように基板接続部１２ｂの後端縁部から後方側に延出する一対の反転折返し部１２ｃ１，１２ｃ１を有しているが、それら一対の反転折返し部１２ｃ１，１２ｃ１は、前述したように固定基部１２ａの板幅方向において基板接続部１２ｂの両側外方の二箇所から、下方に向かって延出した後に前方に向かって延出しており、それらの両反転折り返し部１２ｃ１，１２ｃ１は、略平行な二股状をなして前方側に向かって延出する分岐基部としての二股状ビーム部１２ｃ２，１２ｃ２に各々一体的に連結されている。それらの二股状ビーム部１２ｃ２，１２ｃ２は、所定量にわたって前方側に延出した後に、一体のメインビーム部１２ｃ３に合流する構成になされている。
【００３９】
上述したメインビーム部１２ｃ３は、一対の二股状ビーム部（分岐基部）１２ｃ２，１２ｃ２同士の対向方向（板幅方向）において略中間の位置から前方側に向かって一体的に延出しているが、それらの弾性ビーム状部材１２ｃを構成している二股状ビーム部１２ｃ２，１２ｃ２、及びメインビーム部１２ｃ３は、相手側の第２コンタクト１３側に向かって斜め上方に傾斜しながら直線状に片持ち状をなして一体的に延出する構成になされている（図７参照）。そして、このような構成を有する弾性ビーム状部材１２ｃの全体は、固定基部１２ａとの連結部分である反転折返し部１２ｃ１又はその近傍を支点とした弾性的な可撓性を有するものであり、前記支点を中心とした上下方向に揺動可能な構成になされている。
【００４０】
また、この弾性ビーム状部材１２ｃにおけるメインビーム部１２ｃ３が前方側に向かって延出している先端部分には、第２コンタクト１３に対する接点部が設けられている。すなわち、当該第１コンタクト１２の弾性ビーム状部材１２ｃに設けられた接点部は、第２コンタクト１３の固定ビーム状部材１３ｄに設けられた接点部に対して下方側から接触する配置関係になされていて、これらの両接点部が、弾性ビーム状部材１２ｃの弾性的な付勢力によって接触状態になされるとともに、当該弾性ビーム状部材１２ｃに対する検査用プラグコネクタ２０の押下げ力の付与によって離間状態になされる。
【００４１】
すなわち、第１コンタクト１２の弾性ビーム状部材１２ｃのメインビーム部１２ｃ３は、前述したプローブ挿入穴１１ｃの直下位置を延在するように配置されており、当該プローブ挿入穴１１ｃの下端開口部が、弾性ビーム状部材１２ｃのメインビーム部１２ｃ３の途中部分に上方側から臨む位置関係になされている。そして、検査用プラグコネクタ２０が上方側に配置されて、当該検査用プラグコネクタ２０のプローブ２０ａがプローブ挿入穴１１ｃを通してコネクタ内部に挿入されると、そのプローブ挿入穴１１ｃから下方に突出したプローブ２０ａの下端部分が、第１コンタクト１２の弾性ビーム状部材１２ｃのメインビーム部１２ｃ３の途中部分に上方側から当接する。さらに、図１３に示されているように、検査用プラグコネクタ２０が下方に押し下げられると、第１コンタクト１２の弾性ビーム状部材１２ｃのメインビーム部１２ｃ３に設けられた接点部が、プローブ２０ａの下方押圧力によって、第２コンタクト１３の弾性ビーム状部材１３ａに設けられた接点部から下方に離間されるようになっている。
【００４２】
以上のように本実施形態にかかるスイッチ付同軸コネクタ１０においては、第１コンタクト１２の弾性ビーム状部材１２ｃが、第１コンタクト１２における長手方向の略全長にわたって弾性的な可撓性を有しており、絶縁ハウジング１１に固定されている固定基部１２ａ及び基板接続部１２ｂが、従来のように弾性ビーム状部材１２ｃの延出方向の途中位置に設けられていないことから、弾性ビーム状部材１２ｃの可撓性を有する領域が従来よりも拡大されており、その結果、当該弾性ビーム状部材１２ｃの弾性的な可撓性が、長期にわたって良好に維持される。
【００４３】
さらに、本実施形態における基板接続部１２ｂは、弾性ビーム状部材１２ｃの二股状ビーム部（分岐基部）１２ｃ２，１２ｃ２に対する外方側部分に、絶縁ハウジング１１に圧入固定される固定延設片１２ａ１，１２ａ１を有していることから、当該固定延設片１２ａ１，１２ａ１による固定力が、固定基部１２ａ及び弾性ビーム状部材１２ｃに付加されることとなり、それによって弾性ビーム状部材１２ｃの全体が、より安定的に保持される。
【００４４】
［導電性シェルについて］
一方、上述した絶縁ハウジング１１の上面側表面には、薄板状の導電性部材からなる導電性シェル１４が上方側から覆うようにして装着されている。この導電性シェル１４は、絶縁ハウジング１１の上面側から挿入ガイド部１１ｂの外周面の一部を覆うように装着されているが、この導電性シェル１４が絶縁ハウジング１１の上面側表面を覆っている上面基板１４ａが平面略矩形状をなすように形成されている。
【００４５】
その導電性シェル１４における略矩形状をなす上面基板１４ａの中央部分には、上述した絶縁ハウジング１１の挿入ガイド部１１ｂを外方側から覆うグランド端子部１４ｂが略中空円筒状をなすようにして一体に設けられている。このグランド端子部１４ｂの外周表面には、円環状をなす固定係止溝１４ｃが凹設されており、その固定係止溝１４ｃに対して、前述した検査用プラグコネクタ２０の導電性シェルに設けられた係合突部２０ｂが嵌め込まれ、それによってスイッチ付同軸コネクタ１０に検査用プラグコネクタ２０が適宜の嵌合力で連結された状態に維持されるようになっている。
【００４６】
また、上述したように平面略矩形状をなす上面基板１４ａの左右両側部分には、下方に向かって垂れ下がるように延在する基板接続部１４ｄ，１４ｄがそれぞれ一体的に連設されている。それらの各基板接続部１４ｄは、コンタクト対向方向である前後方向においてコネクタのほぼ全長にわたって延在しており、当該各基板接続部１４ｄの下端縁部には、コネクタ内方に向かって略水平に突出する水平壁面からなる半田接合片１４ｅが連設されている。それら２体の半田接合片１４ｅ，１４ｅは、図示を省略した印刷配線基板上のグランド用導電路に半田接合され、それによってグランド接続が行われるとともに、スイッチ付同軸コネクタ１０の全体の保持が行われるようになっている。
【００４７】
一方、上述した第１の実施形態と同一の構成部材に対して同一の符号を付した図１４〜図１６にかかる第２の実施形態にかかる第１コンタクト１２’においては、弾性ビーム状部材１２ｃ’の根本部分を構成する２体の反転折り返し部１２ｃ１’が、固定基部１２ａの後端縁部から上方側に立ち上がる湾曲帯板状部材から形成されている。これらの両反転折り返し部１２ｃ１’、１２ｃ１’の上方側部分における前端部からは、分岐基部としての二股状ビーム部１２ｃ２’、１２ｃ２’が所定量にわたって前方側に延出した後、一体のメインビーム部１２ｃ３’に合流する構成になされている。
【００４８】
メインビーム部１２ｃ３’の両側側縁部は、上述した一対の二股状ビーム部（分岐基部）１２ｃ２’、１２ｃ２’から滑らかな傾斜辺を形成するようにして合流しているが、合流した後の領域において斜め下方に向かって折り曲げられており、その斜め下方への折曲げ部分によって一旦下降した後に、相手側の第２コンタクト１３側に向かって斜め上方に傾斜しながら直線状に片持ち状をなして一体的に延出する構成になされている。このような第２実施形態においても、上述した第１実施形態と同様な作用・効果を得ることができる。
【００４９】
以上、本発明者によってなされた発明を実施形態に基づき具体的に説明したが、本実施形態は上述した実施形態に限定されるものではなく、その要旨を逸脱しない範囲で種々変形可能であるというのはいうまでもない。
【００５０】
例えば、本発明は、上述した実施形態のような回路検査スイッチ以外の用途に用いられるスイッチ付同軸コネクタに対しても同様に適用可能である。
【産業上の利用可能性】
【００５１】
以上のように本発明は、各種電子・電気機器に使用される多種多様なスイッチ付同軸コネクタに対して広く適用することが可能である。
【符号の説明】
【００５２】
１０  スイッチ付同軸コネクタ
１１  絶縁ハウジング
１１ａ  ベース枠体部
１１ｂ  挿入ガイド部
１１ｃ  プローブ挿入穴（相手挿入穴）
１１ｄ  傾斜ガイド面
１１ｅ  コンタクト挿入通路
１２  第１コンタクト（一方のコンタクト）
１２ａ  固定基部
１２ａ１  固定延設片
１２ａ２  外方側切欠き部
１２ａ３  内方側切欠き部
１２ｂ  基板接続部
１２ｂ１  反転折返し部
１２ｃ  弾性ビーム状部材
１２ｃ１  反転折返し部
１２ｃ２  二股状ビーム部（分岐基部）
１２ｃ３  メインビーム部
１３  第２コンタクト（他方のコンタクト）
１３ａ  固定基部
１３ａ１  固定延設片
１３ｂ  基板接続部
１３ｃ  反転折返し部
１３ｄ  固定ビーム状部材
１４  導電性シェル
１４ａ  上面基板
１４ｂ  グランド端子部
１４ｃ  固定係止溝
１４ｄ  基板接続部
１４ｅ  半田接合片
２０  検査用プラグコネクタ（相手コネクタ）
２０ａ  プローブ
２０ｂ  係合突部
１２’  第１コンタクト
１２ｃ’  弾性ビーム状部材
１２ｃ１’  反転折り返し部
１２ｃ２’  二股状ビーム部
１２ｃ３’  メインビーム部
【図１】
0005928166.tif 000002
【図２】
0005928166.tif 000003
【図３】
0005928166.tif 000004
【図４】
0005928166.tif 000005
【図５】
0005928166.tif 000006
【図６】
0005928166.tif 000007
【図７】
0005928166.tif 000008
【図８】
0005928166.tif 000009
【図９】
0005928166.tif 000010
【図１０】
0005928166.tif 000011
【図１１】
0005928166.tif 000012
【図１２】
0005928166.tif 000013
【図１３】
0005928166.tif 000014
【図１４】
0005928166.tif 000015
【図１５】
0005928166.tif 000016
【図１６】
0005928166.tif 000017